(57)【要約】【課題】  製造時に、端子及び電線の導体のどちらも治具に固着することのない端子付き電線を提供すること。【解決手段】  端子付き電線１０は、電線２０と、端子３０と部分被覆部４０とを備えている。電線２０は、導体２２と、絶縁被覆部材２４とを備えている。導体２２は、露出部２２２を有している。露出部２２２は、絶縁被覆部材２４の全周被覆部２４０に覆われることなく前方へ延びている。端子３０は、露出部２２２の下方に位置する接続部３２４を有している。端子３０は露出部２２２に溶接され、それによって端子３０の接続部３２４と露出部２２２の下部との間に溶接部３２６が形成されている。部分被覆部４０は、露出部２２２の上部を少なくとも部分的に覆う一方、露出部２２２の下部を覆っていない。【選択図】図１
2019212478.tif 000002
【特許請求の範囲】
【請求項１】
電線と、端子と、部分被覆部とを備える端子付き電線であって、
前記電線は、導体と、絶縁被覆部材とを備えており、
前記導体は、露出部と非露出部とを有しており、
前記露出部は、前後方向において、前記非露出部から前方へ延びており、
前記露出部は、前記前後方向と直交する上下方向において上部と下部とを有しており、
前記絶縁被覆部材は、全周被覆部を有しており、
前記全周被覆部は、前記非露出部の全外周を覆っており、
前記露出部は、前記全周被覆部に覆われておらず、
前記端子は、前記上下方向において、前記露出部の下方に位置する接続部を有しており、
前記端子は前記露出部に溶接され、それによって前記端子の前記接続部と前記露出部の前記下部との間に溶接部が形成されており、
前記部分被覆部は、前記露出部の前記上部を少なくとも部分的に覆う一方、前記露出部の前記下部を覆っていない
端子付き電線。
【請求項２】
請求項１に記載の端子付き電線であって、
前記部分被覆部は、前記絶縁被覆部材の一部であり、前記全周被覆部の前端から前方に延びている
端子付き電線。
【請求項３】
請求項１または請求項２に記載の端子付き電線であって、
前記部分被覆部は、前記露出部の前記上部のうち前記溶接部の前記上下方向における真上に位置する部分を少なくとも部分的に覆っている
端子付き電線。
【請求項４】
請求項１から請求項３までのいずれか一つに記載の端子付き電線と、
前記端子を保持する保持部材と
を備える部品。
【請求項５】
請求項４に記載の部品であって、
前記部分被覆部は、前記保持部材とは異なる絶縁体からなる
部品。
【請求項６】
請求項４または請求項５に記載の部品であって、
前記端子は、被照射部を有しており、
前記被照射部は、前記保持部材から突出し露出しており、
前記溶接部は、前記被照射部の前記上下方向における上部に形成されており、
前記部分被覆部は、前記被照射部の前記上下方向における真上にあたる位置において、前記露出部の前記上部を少なくとも部分的に覆っている
部品。
【請求項７】
請求項４から請求項６までのいずれか一つに記載の部品を備えるコネクタ。
【請求項８】
電線の導体の露出部の下部を端子の接続部の上部に接触させ、
治具と前記露出部の上部との間に絶縁体からなる部分被覆部を介在させた状態で、前記治具で前記露出部の上部を押圧し、
前記接続部の下部にビームを照射し、
前記露出部の前記下部と前記接続部の前記上部とを溶接する
端子付き電線の製造方法。
【請求項９】
請求項８に記載の端子付き電線の製造方法であって、
前記電線は、前記導体と、前記導体の外周を覆う絶縁被覆部材とを備えており、
前記導体は、前記露出部と、非露出部とを有しており、
前記露出部は、前後方向において、前記非露出部より前方に位置しており、
前記部分被覆部は、前記露出部に対応する領域において、前記絶縁被覆部材を部分的に除去することにより形成される
端子付き電線の製造方法。
【請求項１０】
請求項８または請求項９に記載の端子付き電線の製造方法であって、
前記接続部の前記下部のうち、前記部分被覆部の前記治具に押圧された部分の真下に位置する部分に対して、前記ビームを照射する
端子付き電線の製造方法。
【請求項１１】
請求項８から請求項１０までのうちの一つに記載の端子付き電線の製造方法であって、
前記ビームとしてレーザビームを用いる
端子付き電線の製造方法。
【発明の詳細な説明】
【技術分野】
【０００１】
本発明は、端子付き電線、それを備えた部品、その部品を備えたコネクタ及び端子付き電線の製造方法に関する。
【背景技術】
【０００２】
特許文献１は、端子部材に電線を溶接するためのレーザ溶接方法を開示している。図２６に示されるように、特許文献１のレーザ溶接方法において、端子部材９０と電線９２との間の溶接は、端子部材９０の溶接部位に電線９２の導体端部９４を接触させた状態で、導体端部９４にレーザ光９６を照射することにより行われる。
【０００３】
ここで、レーザ溶接によって溶接される二つの溶接対象物は、互いに適切に接触している必要がある。特許文献２は、二つの溶接対象物（バスバーと端子）の一方を残りの一方に押し付けるために、治具（固定部材）を用いることを開示している。
【先行技術文献】
【特許文献】
【０００４】
【特許文献１】特開平１１−２１４１１３号公報
【特許文献２】特開２００７−２６５９６２号公報
【発明の概要】
【発明が解決しようとする課題】
【０００５】
電線の導体に端子を溶接する際に、治具を用いて電線の導体を端子に向けて押圧する場合がある。その場合、端子及び電線の導体の少なくとも一方の一部が、溶接により溶けたときに治具に付着し、端子及び電線の導体の少なくとも一方が治具に固着する可能性がある。
【０００６】
そこで、本発明は、その製造時において、端子及び電線の導体のどちらも治具に固着することのない端子付き電線を提供することを目的とする。また、本発明は、端子及び電線の導体のどちらも治具に固着することのない端子付き電線の製造方法を提供することを目的とする。
【課題を解決するための手段】
【０００７】
本発明は、第１の端子付き電線として、電線と、端子と、部分被覆部とを備える端子付き電線であって、
前記電線は、導体と、絶縁被覆部材とを備えており、
前記導体は、露出部と非露出部とを有しており、
前記露出部は、前後方向において、前記非露出部から前方へ延びており、
前記露出部は、前記前後方向と直交する上下方向において上部と下部とを有しており、
前記絶縁被覆部材は、全周被覆部を有しており、
前記全周被覆部は、前記非露出部の全外周を覆っており、
前記露出部は、前記全周被覆部に覆われておらず、
前記端子は、前記上下方向において、前記露出部の下方に位置する接続部を有しており、
前記端子は前記露出部に溶接され、それによって前記端子の前記接続部と前記露出部の前記下部との間に溶接部が形成されており、
前記部分被覆部は、前記露出部の前記上部を少なくとも部分的に覆う一方、前記露出部の前記下部を覆っていない
端子付き電線を提供する。
【０００８】
また、本発明は、第２の端子付き電線として、第１の端子付き電線であって、
前記部分被覆部は、前記絶縁被覆部材の一部であり、前記全周被覆部の前端から前方に延びている
端子付き電線を提供する。
【０００９】
また、本発明は、第３の端子付き電線として、第１又は第２の端子付き電線であって、
前記部分被覆部は、前記露出部の前記上部のうち前記溶接部の前記上下方向における真上に位置する部分を少なくとも部分的に覆っている
端子付き電線を提供する。
【００１０】
また、本発明は、第１の部品として、第１から第３までの端子付き電線のいずれか一つと、
前記端子を保持する保持部材と
を備える部品を提供する。
【００１１】
また、本発明は、第２の部品として、第１の部品であって、
前記部分被覆部は、前記保持部材とは異なる絶縁体からなる
部品を提供する。
【００１２】
また、本発明は、第３の部品として、第１又は第２の部品であって、
前記端子は、被照射部を有しており、
前記被照射部は、前記保持部材から突出し露出しており、
前記溶接部は、前記被照射部の前記上下方向における上部に形成されており、
前記部分被覆部は、前記被照射部の前記上下方向における真上にあたる位置において、前記露出部の前記上部を少なくとも部分的に覆っている
部品を提供する。
【００１３】
また、本発明は、第１のコネクタとして、第１から第３までの部品のうちのいずれか一つを備えるコネクタを提供する。
【００１４】
また、本発明は、第１の端子付き電線の製造方法として、
電線の導体の露出部の下部を端子の接続部の上部に接触させ、
治具と前記露出部の上部との間に絶縁体からなる部分被覆部を介在させた状態で、前記治具で前記露出部の上部を押圧し、
前記接続部の下部にビームを照射し、
前記露出部の前記下部と前記接続部の前記上部とを溶接する
端子付き電線の製造方法を提供する。
【００１５】
また、本発明は、第２の端子付き電線の製造方法として、第１の端子付き電線の製造方法であって、
前記電線は、前記導体と、前記導体の外周を覆う絶縁被覆部材とを備えており、
前記導体は、前記露出部と、非露出部とを有しており、
前記露出部は、前後方向において、前記非露出部より前方に位置しており、
前記部分被覆部は、前記露出部に対応する領域において、前記絶縁被覆部材を部分的に除去することにより形成される
端子付き電線の製造方法を提供する。
【００１６】
また、本発明は、第３の端子付き電線の製造方法として、第１又は第２の端子付き電線の製造方法であって、
前記接続部の前記下部のうち、前記部分被覆部の前記治具に押圧された部分の真下に位置する部分に対して、前記ビームを照射する
端子付き電線の製造方法を提供する。
【００１７】
さらに、本発明は、第４の端子付き電線の製造方法として、第１から第３までの端子付き電線の製造方法であって、
前記ビームとしてレーザビームを用いる
端子付き電線の製造方法を提供する。
【発明の効果】
【００１８】
本発明の端子付き電線は、電線の導体の露出部の上部を少なくとも部分的に覆う部分被覆部を備えている。それゆえ、電線の導体の露出部の下部と端子の接続部の上部とを溶接する際に、治具を電線の導体に直接接触させることなく、治具で電線の導体の露出部を押圧することができる。これにより、治具が端子及び電線の導体のどちらか一方又は両方に固着するのを防止することができる。
【図面の簡単な説明】
【００１９】
【図１】本発明の一実施の形態による端子付き電線を示す斜視図である。
【図２】図１の端子付き電線を示す別の斜視図である。
【図３】図１の端子付き電線を示す平面図である。
【図４】図１の端子付き電線を示す側面図である。
【図５】図１の端子付き電線を示す正面図である。
【図６】図３の端子付き電線を示すＡ−Ａ線断面図である。Ｂ−Ｂ線は、中心導体の非露出部と露出部との境界を表し、かつ絶縁体の全周被覆部と延長部との境界を表している。
【図７】図１の端子付き電線の製造方法を説明するための図であって、端子と電線の組み合わせを示す斜視図である。
【図８】図７の端子と電線の組み合わせを示す別の斜視図である。
【図９】図７の端子と電線の組み合わせを示す平面図である。
【図１０】図７の端子と電線の組み合わせを示す側面図である。
【図１１】図７の端子と電線の組み合わせを示す正面図である。
【図１２】図９の端子と電線の組み合わせを示すＣ−Ｃ線断面図である。Ｄ−Ｄ線は、中心導体の非露出部と露出部との境界を表し、かつ絶縁体の全周被覆部と延長部との境界を表している。
【図１３】図１の端子付き電線の製造方法を説明するための図であって、図１の端子付き電線と治具とを示す斜視図である。治具は、部分被覆部を押圧している。
【図１４】図１３の端子付き電線と治具とを示す別の斜視図である。
【図１５】図１３の端子付き電線と治具とを示す平面図である。
【図１６】図１３の端子付き電線と治具とを示す側面図である。
【図１７】図１３の端子付き電線と治具とを示す正面図である。
【図１８】図１５の端子付き電線と治具とを示すＥ−Ｅ線断面図である。Ｆ−Ｆ線は、中心導体の非露出部と露出部との境界を表し、かつ絶縁体の全周被覆部と延長部との境界を表している。
【図１９】図１の端子付き電線を部品として含むコネクタを示す斜視図である。
【図２０】本発明の他の実施の形態による端子付き電線を示す斜視図である。
【図２１】図２０の端子付き電線を示す別の斜視図である。
【図２２】図２０の端子付き電線を示す平面図である。
【図２３】図２０の端子付き電線を示す側面図である。
【図２４】図２０の端子付き電線を示す正面図である。
【図２５】図２２の端子付き電線を示すＧ−Ｇ線断面図である。Ｈ−Ｈ線は、中心導体の非露出部と露出部との境界を表し、かつ絶縁体の全周被覆部と延長部との境界を表している。
【図２６】特許文献１に記載されたレーザ溶接方法を説明するための図である。
【発明を実施するための形態】
【００２０】
（第１の実施の形態）
図１及び図２を参照すると、本発明の第１の実施の形態による端子付き電線１０は、電線２０と、端子３０と部分被覆部４０とを備えている。本実施の形態において、電線２０は、中心導体（導体）２２と、絶縁体（絶縁被覆部材）２４と、外部導体２６と、外被２８とを備えている。また、本実施の形態において、端子３０は、端子本体３２と端子ホルダー（保持部材）３４とを備えている。さらに、本実施の形態において、部分被覆部４０は、絶縁体２４の一部（延長部２４２）で構成されている。但し、本発明はこれに限られない。電線２０は、中心導体２２と絶縁体２４さえ備えていればよい。また、端子３０は、端子本体３２さえ備えていればよい。さらに、部分被覆部４０は、絶縁体２４とは別の絶縁体であってもよい。
【００２１】
図４から図６までの図に示されるように、中心導体２２は、非露出部２２０と、露出部２２２とを有している。中心導体２２は、前後方向に延びており、非露出部２２０は、前後方向において、露出部２２２の後方に位置している。露出部２２２は、前後方向において、非露出部２２０から前方へ延びている。本実施の形態において、前後方向は、Ｘ方向である。＋Ｘ方向が前方であり、−Ｘ方向が後方である。
【００２２】
図４及び図６に示されるように、本実施の形態において、露出部２２２は、中心導体２２の先端部に設けられている。但し、本発明はこれに限られない。中心導体２２の先端部には、付加的非露出部（図示せず）が設けられていてもよい。換言すると、露出部２２２は、前後方向において、非露出部２２０と付加的非露出部との間に設けられていてもよい。
【００２３】
図３から図６までの図から理解されるように、中心導体２２の非露出部２２０は、周方向において全外周が絶縁体２４によって覆われている。一方、中心導体２２の露出部２２２は、周方向において少なくとも部分的に外部に露出している。本実施の形態において、露出部２２２の上部は、絶縁体２４の延長部２４２によって少なくとも部分的に覆われている。
【００２４】
図３から図６までの図に示されるように、絶縁体２４は、全周被覆部２４０と延長部２４２とを有している。全周被覆部２４０は、周方向において中心導体２２の全外周を覆っている。中心導体２２のうち、全周被覆部２４０で覆われた部分が非露出部２２０である。中心導体２２の露出部２２２は、全周被覆部２４０によって覆われていない部分である。
【００２５】
図３、図４及び図６に示されるように、絶縁体２４の延長部２４２は、前後方向において、全周被覆部２４０の前端から前方へ延びて部分被覆部４０を形成している。本実施の形態において、部分被覆部４０は、前後方向において、中心導体２２の露出部２２２の一方の端部から残りの一方の端部まで延びている。但し、本発明はこれに限られない。部分被覆部４０は、前後方向において、露出部２２２を部分的に覆うものであってもよい。その場合、部分被覆部４０は、全周被覆部２４０から離れた位置に設けられてもよい。たとえば、部分被覆部４０は、中心導体２２の先端付近に設けられてもよい。
【００２６】
図５から理解されるように、部分被覆部４０は、周方向において中心導体２２を部分的に覆っている。詳しくは、露出部２２２は、前後方向と直交する上下方向において、上部と下部とを有している。部分被覆部４０は、上下方向において露出部２２２の上部を少なくとも部分的に覆う一方、露出部２２２の下部を覆っていない。但し、本発明はこれに限られない。部分被覆部４０は、上下方向において、露出部２２２の上部を含む上半分以上の範囲を覆っていてもよい。本実施の形態において、上下方向はＺ方向である。＋Ｚ方向が上方であり、−Ｚ方向が下方である。
【００２７】
図１、図２及び図６に示されるように、前後方向において、外部導体２６及び外被２８の前端は、全周被覆部２４０の前端よりも後方に位置している。本実施の形態において、外部導体２６の前端と外被２８の前端は一致している。しかしながら、外部導体２６の前端の位置と外被２８の前端の位置は、便宜的なものである。外部導体２６及び外被２８は、本発明に直接関係がないので、その詳細な説明は省略する。
【００２８】
図１から図５までの図から理解されるように、端子本体３２は、接触部３２０と、連結部３２２と、接続部３２４とを有している。端子本体３２は、単一の金属板からなり、接触部３２０、連結部３２２及び接続部３２４は、互いに連続している。端子本体３２は、部分的に端子ホルダー３４に埋め込まれるように、端子ホルダー３４によって保持されている。
【００２９】
図１から図５までの図から理解されるように、端子ホルダー３４は、絶縁樹脂を用いて端子本体３２と一体成型されている。端子ホルダー３４は、主保持部３４０と、連結保持部３４２と、支持部３４４とを有している。主保持部３４０、連結保持部３４２及び支持部３４４は、接触部３２０、連結部３２２及び接続部３２４を夫々保持している。但し、本発明はこれに限られない。端子ホルダー３４は、端子本体３２とは別に成型されてもよい。その場合、端子ホルダー３４は、中心導体２２２と端子本体３２とを溶接する前又は後に、端子本体３２に装着される。たとえば、端子本体３２に圧入部（図示せず）を設け、端子本体３２を端子ホルダー３４に圧入するようにすることができる。
【００３０】
図５を参照すると、端子ホルダー３４の支持部３４４には、前後方向に沿って見たときにＹ字形の溝３４６が形成されている。溝３４６は、上下方向において上方に開いている。端子本体３２の接続部３２４は、少なくとも部分的に溝３４６の底部に露出している。溝３４６は、横方向において、溝３４６の底部のサイズは、中心導体２２を直径と同じかそれより大きい。本実施の形態において、横方向は、Ｙ方向である。
【００３１】
図４及び図６から理解されるように、端子本体３２の接続部３２４は、前後方向において、少なくとも部分的に支持部３４４よりも前方へ突出している。前後方向において、支持部３４４よりも前方へ突出している接続部３２４の部分は、後述するように被照射部３２８（図７及び図８参照）でもある。換言すると、本実施の形態において、端子３０は、被照射部３２８を有しており、被照射部３２８は、端子ホルダー３４から突出し露出している。但し、本発明はこれに限られない。接続部３２４は、支持部３４４から前方へ突出していなくてもよい。たとえば、端子ホルダー３４が端子本体３２とは別に成型された場合、端子ホルダー３４によって接続部３２４を覆うこともできる。
【００３２】
図４及び図６に示されるように、端子本体３２の接続部３２４は、上下方向において、中心導体２２の露出部２２２の下方に位置している。換言すると、端子３０は、上下方向において、露出部２２２の下方に位置する接続部３２４を有している。接続部３２４は、露出部２２２に電気的かつ機械的に接続されている。本実施の形態において、接続部３２４は、少なくとも部分的に露出部２２２に溶接されている。これにより、接続部３２４と露出部２２２の下部との間には、溶接部３２６が形成されている。溶接部３２６は、被照射部３２８（図７及び図８参照）の上下方向における上部に形成されている。
【００３３】
図４に示されるように、上下方向において、溶接部３２６の真上に当たる位置には、部分被覆部４０である延長部２４２が存在している。換言すると、部分被覆部４０は、溶接部３２６の上下方向のおける真上に当たる位置に少なくとも設けられている。これは、部分被覆部４０は、被照射部３２８の上下方向における真上にあたる位置に少なくとも設けられているとも言える。このように、本実施の形態において、部分被覆部４０は、露出部２２２の上部のうち被照射部３２８又は溶接部３２６の上下方向における真上に位置する部分を少なくとも部分的に覆っている。但し、本発明はこれに限られない。部分被覆部４０は、上下方向において、被照射部３２８及び溶接部３２６の真上に当たる位置から離れて設けられていてもよい。部分被覆部４０は、以下に説明するように、端子付き電線１０の製造時において、中心導体２２の露出部２２２及び端子本体３２の接続部３２４のどちらか一方又は両方への治具５０（図１３から図１８参照）の固着を防止する。
【００３４】
以下、端子付き電線１０の製造方法について説明する。まず、図７から図１２に示されるように、電線２０と端子３０とを組み合わせる。詳しくは、電線２０の中心導体２２の露出部２２２を、端子ホルダー３４の支持部３４４の溝３４６内に位置させる。このとき、中心導体２２の露出部２２２の下部を端子３０の接続部３２４の上部に少なくとも部分的に接触させる。この状態を保つように、電線２０及び端子３０は夫々保持具（図示せず）によって保持される。なお、本実施の形態において、端子本体３２の接続部３２４の上部は、上下方向において上方へ向かう平らな上面を有している。但し、本発明はこれに限られない。露出部２２２と接続部３２４の接触面積を増加させるように、接続部３２４の上面は曲面であってもよい。
【００３５】
次に、図１３から図１８に示されるように、治具５０を絶縁体２４の延長部２４２に押し当てる。さらに、治具５０を用いて露出部２２２の下部を接続部３２４の上部に押し付ける。即ち、治具５０と露出部２２２の上部との間に絶縁体からなる部分被覆部４０を介在させた状態で、治具５０で露出部２２２の上部を上下方向において下方へ押圧する。これにより、露出部２２２の下部が接続部３２４の上部に押し付けられ、これらは互いに適切に接触する。
【００３６】
ここで、部分被覆部４０の形成について説明する。本実施の形態において、部分被覆部４０は、前述したように、絶縁体２４の延長部２４２である（図７参照）。延長部２４２は、電線２０の露出部２２２に対応する領域において、絶縁体２４を部分的に除去することにより形成することができる。また、延長部２４２の一部を更に除去し、絶縁体２４の一部であるが全周被覆部２４０から分離されている部分被覆部４０を形成するようにしてもよい。
【００３７】
次に、図１３から図１８に示されるように、治具５０で露出部２２２を押圧した状態で、端子３０の接続部３２４の下部にビームを照射する。ビームは、上下方向に沿って下方から上方に向けて照射される。図８及び図１０から理解されるように、接続部３２４のビーム照射可能領域は、前後方向において、支持部３４４よりも前方へ突出した部分である。即ち、この突出した部分が被照射部３２８である。
【００３８】
ビームの照射は、露出部２２２の下部と接続部３２４の上部とが適切に接触している領域に対して行われることが好ましい。そのためには、図１０から図１２及び図１６から図１８までの図から理解されるように、上下方向において、被照射部３２８の真上に位置する領域に部分被覆部４０が設けられ、さらにその上に治具５０が位置していることが必要である。こうして、接続部３２４の下部のうち、部分被覆部４０の治具５０に押圧された部分の真下に位置する部分に対して、ビームが照射される。ビームとしては、端子３０と中心導体２２とを互いに溶接するのに必要なエネルギーを供給できるビームであればよい。たとえば、ビームとして、レーザビームや電子ビームを用いることができる。このような高エネルギーのビームを照射することで、被照射部３２８は少なくとも部分的に溶融する。また、中心導体２２の露出部２２２も部分的に溶融する。その後、被照射部３２８の溶融した部分と露出部２２２の溶融した部分は、凝固して溶接部３２６を形成する。被照射部３２８及び露出部２２２が部分的に溶融したとき、部分被覆部４０は、これらの溶融部分が治具５０に付着するのを防止する。これにより、端子本体３２及び中心導体２２のどちらも治具５０に固着することはない。
【００３９】
図１６に示されるように、本実施の形態において、溶接部３２６は、元の被照射部３２８（図１０参照）の位置よりも上方へ延びている。但し、本発明はこれに限られない。たとえば、レーザスポット溶接を用いれば、被照射部３２８はほとんど変形せず、溶接部３２６はより小さく形成される。しかしながら、被照射部３２８の変形をより大きくすることで、溶接の状態を目視で確認することが容易になる。
【００４０】
その後、治具５０を絶縁体２４の延長部２４２（部分被覆部４０）から離す。こうして、露出部２２２の下部と接続部３２４（被照射部３２８）の上部とが互いに溶接された端子付き電線１０（図１から図６参照）が完成する。
【００４１】
図１９から理解されるように、本実施の形態による端子付き電線１０は、コネクタ７０の部品として利用することができる。コネクタ７０は、端子付き電線１０の他に、少なくとも上シェル７２と下シェル７４とを備えている。上シェル７２と下シェル７４は互いに組み合わされ、電線２０及び端子３０を夫々部分的に覆っている。
【００４２】
（第２の実施の形態）
図２０から図２５を参照すると、本発明の第２の実施の形態に係る端子付き電線１０Ａは、電線２０と、端子３０Ａと、部分被覆部４０とを備えている。端子３０Ａが端子本体３２のみを備え、端子ホルダー３４を備えていない点で、端子付き電線１０Ａは、第１の実施の形態の端子付き電線１０と異なっている。それ以外の点について、端子付き電線１０Ａは第１の実施の形態の端子付き電線１０と同じなので、その詳細な説明は省略する。
【００４３】
図２０から図２５に示されるように、本実施の形態の端子付き電線１０Ａにおいても、絶縁体２４の延長部２４２が、部分被覆部４０として存在する。これにより、端子３０Ａと電線２０の中心導体２２の露出部２２２とを溶接する際に、端子本体３２の被照射部３２８の溶融した部分と中心導体２２の露出部２２２の溶融した部分とが治具５０に付着することが防止される。よって、本実施の形態においても、端子本体３２及び中心導体２２のどちらも治具５０に固着することはない。
【００４４】
以上、本発明について実施の形態を掲げて説明したが、本発明は上述した実施の形態に限定されず、本発明の主旨を逸脱することなく様々な変形や変更が可能である。たとえば、上記実施の形態では、電線２０が備える絶縁体２４の一部を部分被覆部４０として利用したが、部分被覆部４０は、絶縁体２４とは別の絶縁体で構成されてもよい。その場合、電線２０の露出部２２２に対応する領域において絶縁体２４を全て除去した後、部分被覆部４０を、接着剤等を用いて露出部２２２に貼り付ければよい。部分被覆部４０としては、端子ホルダー３４とは異なる絶縁体を用いることができる。部分被覆部４０として比較的柔軟な絶縁樹脂、例えば、端子ホルダー３４よりも柔軟な絶縁樹脂を用いることで、露出部２２２を安定して押圧することができる。また、上記実施の形態において、中心導体２２は単線であったが、中心導体２２は、撚り線であってもよい。さらに、上記実施の形態において、端子本体３２は、接触部３２０、連結部３２２及び接続部３２４を有していたが、端子本体３２の構成は特に限定されない。たとえば、端子本体３２は、矩形の金属板であってもよい。
【符号の説明】
【００４５】
１０    端子付き電線
２０    電線
２２    中心導体（導体）
２２０    非露出部
２２２    露出部
２４    絶縁体（絶縁被覆部材）
２４０    全周被覆部
２４２    延長部（部分被覆部）
２６    外部導体
２８    外被
３０    端子
３２    端子本体
３２０    接触部
３２２    連結部
３２４    接続部
３２６    溶接部
３２８    被照射部
３４    端子ホルダー（保持部材）
３４０    主保持部
３４２    連結保持部
３４４    支持部
３４６    溝
４０    部分被覆部
５０    治具
７０    コネクタ
７２    上シェル
７４    下シェル
【図１】
2019212478.tif 000003
【図２】
2019212478.tif 000004
【図３】
2019212478.tif 000005
【図４】
2019212478.tif 000006
【図５】
2019212478.tif 000007
【図６】
2019212478.tif 000008
【図７】
2019212478.tif 000009
【図８】
2019212478.tif 000010
【図９】
2019212478.tif 000011
【図１０】
2019212478.tif 000012
【図１１】
2019212478.tif 000013
【図１２】
2019212478.tif 000014
【図１３】
2019212478.tif 000015
【図１４】
2019212478.tif 000016
【図１５】
2019212478.tif 000017
【図１６】
2019212478.tif 000018
【図１７】
2019212478.tif 000019
【図１８】
2019212478.tif 000020
【図１９】
2019212478.tif 000021
【図２０】
2019212478.tif 000022
【図２１】
2019212478.tif 000023
【図２２】
2019212478.tif 000024
【図２３】
2019212478.tif 000025
【図２４】
2019212478.tif 000026
【図２５】
2019212478.tif 000027
【図２６】
2019212478.tif 000028